【手続補正書】
【提出日】平成17年10月14日(2005.10.14)
【手続補正１】
【補正対象書類名】明細書
【補正対象項目名】発明の名称
【補正方法】変更
【補正の内容】
【発明の名称】情報処理装置、その制御方法、記憶媒体、及び制御プログラム
【手続補正２】
【補正対象書類名】明細書
【補正対象項目名】特許請求の範囲
【補正方法】変更
【補正の内容】
【特許請求の範囲】
【請求項１】  素材電子文書を第一の表示画面に表示する第一の表示手段と、
統合電子文書の構成要素として含まれる素材電子文書を第二の表示画面に表示する第二の表示手段と、
前記第一又は第二の表示画面の表示内容に対する変更操作を行うための操作手段と、
前記操作手段による変更操作が前記第一の表示画面の表示内容に対する操作であるか、前記第二の表示画面の表示内容に対する操作であるかを判定する判定手段と、
前記判定手段の判定結果と当該変更操作の内容に応じて、前記操作手段による変更操作が行われた表示画面と異なるもう一方の表示画面の表示内容を変更する変更制御手段とを備えたことを特徴とする情報処理装置。
【請求項２】  前記操作手段の前記変更操作は、素材電子文書の追加操作又は削除操作であることを特徴とする請求項１記載の情報処理装置。
【請求項３】  前記操作手段の変更操作が新たな素材電子文書の追加操作であった場合、前記判定手段は、前記第一の表示画面に対する新たな素材電子文書の追加操作であるか、前記第二の表示画面に対する新たな素材電子文書の追加操作であるかを判定し、
前記判定手段で前記第一の表示画面に対する新たな素材電子文書の追加操作であると判定された場合、前記変更制御手段は当該新たな素材電子文書を前記第一の表示画面にのみ追加するように制御し、一方、
前記判定手段で前記第二の表示画面に対する新たな素材電子文書の追加操作であると判定された場合、前記変更制御手段は当該新たな素材電子文書を前記第一の表示画面と前記第二の表示画面の両方に追加するように制御することを特徴とする請求項２記載の情報処理装置。
【請求項４】  前記操作手段の変更操作が素材電子文書の削除操作であった場合、前記判定手段は、前記第一の表示画面内の素材電子文書の削除操作であるか、前記第二の表示画面内の素材電子文書の削除操作であるかを判定し、
前記判定手段で前記第一の表示画面内の素材電子文書の削除操作であると判定された場合、前記変更制御手段は、前記第一の表示画面内の当該素材電子文書と、前記第二の表示画面内に構成要素として含まれている当該素材電子文書とを削除するように制御し、一方、
前記判定手段で前記第二の表示画面内の素材電子文書の削除操作であると判定された場合、前記変更制御手段は、前記第二の表示画面内の当該素材電子文書のみを削除するように制御することを特徴とする請求項２記載の情報処理装置。
【請求項５】  前記素材電子文書を保持する第一の保持手段と、
所望の素材電子文書を構成要素として有する統合電子文書を保持する第二の保持手段とを更に有し、
前記第一の表示画面には、前記第一の保持手段で保持されている保持内容が表示され、前記第二の表示画面には、前記第二の保持手段で保持されている保持内容が表示されることを特徴とする請求項１記載の情報処理装置。
【請求項６】  前記操作手段の変更操作は、ポインティングデバイスによるドラッグ＆ドロップ操作に基づいて行われることを特徴とする請求項１乃至５のいずれかに記載の情報処理装置。
【請求項７】  前記操作手段の変更操作は、ポインティングデバイスによるメニュー操作又はキーボードによるキー操作に基づいて行なわれることを特徴とする請求項１乃至５のいずれかに記載の情報処理装置。
【請求項８】  素材電子文書を第一の表示画面に表示する第一の表示手段と、統合電子文書の構成要素として含まれる素材電子文書を第二の表示画面に表示する第二の表示手段とを備えた情報処理装置の制御方法において、
操作手段を用いて、前記第一又は第二の表示画面の表示内容に対する変更操作を行う工程と、
前記操作手段による変更操作が前記第一の表示画面の表示内容に対する操作であるか、前記第二の表示画面の表示内容に対する操作であるかを判定する判定工程と、
前記判定工程での判定結果と当該変更操作の内容とに応じて、前記操作手段による変更操作が行われた表示画面と異なるもう一方の表示画面の表示内容を変更する変更制御工程とを有することを特徴とする情報処理装置の制御方法。
【請求項９】  前記操作手段の変更操作は、素材電子文書の追加操作又は削除操作であることを特徴とする請求項８記載の情報処理装置の制御方法。
【請求項１０】  前記操作手段の変更操作が新たな素材電子文書の追加操作であった場合、前記判定工程では、前記第一の表示画面に対する新たな素材電子文書の追加操作であるか、前記第二の表示画面に対する新たな素材電子文書の追加操作であるかを判定し、
前記判定工程で前記第一の表示画面に対する新たな素材電子文書の追加操作であると判定された場合、前記変更制御工程では当該新たな素材電子文書を前記第一の表示画面にのみ追加するように制御し、一方、
前記判定工程で前記第二の表示画面に対する新たな素材電子文書の追加操作であると判定された場合、前記変更制御工程では当該新たな素材電子文書を前記第一の表示画面と前記第二の表示画面の両方に追加するように制御することを特徴とする請求項８記載の情報処理装置の制御方法。
【請求項１１】  前記操作手段の変更操作が素材電子文書の削除操作であった場合、前記判定工程では、前記第一の表示画面内の素材電子文書の削除操作であるか、前記第二の表示画面内の素材電子文書の削除操作であるかを判定し、
前記判定工程で前記第一の表示画面内の素材電子文書の削除操作であると判定された場合、前記変更制御工程では、前記第一の表示画面内の当該素材電子文書と、前記第二の表示画面内に構成要素として含まれている当該素材電子文書とを削除するように制御し、一方、
前記判定工程で前記第二の表示画面内の素材電子文書の削除操作であると判定された場合、前記変更制御工程では、前記第二の表示画面内の当該素材電子文書のみを削除するように制御することを特徴とする請求項８記載の情報処理装置の制御方法。
【請求項１２】  素材電子文書を第一の表示画面に表示する第一の表示手段と、統合電子文書の構成要素として含まれる素材電子文書を第二の表示画面に表示する第二の表示手段と、前記第一又は第二の表示画面の表示内容に対する変更操作を行うための操作手段とを備えた情報処理装置を制御するためのコンピュータ読み取り可能な制御プログラムを提供する記憶媒体であって、
前記制御プログラムは、
前記操作手段による変更操作が前記第一の表示画面の表示内容に対する操作であるか、前記第二の表示画面の表示内容に対する操作であるかを判定する判定ステップと、
前記判定ステップでの判定結果と当該変更操作の内容とに応じて、前記操作手段による変更操作が行われた表示画面と異なるもう一方の表示画面の表示内容を変更する変更制御ステップとをコンピュータに実行させるためのプログラムコードを含むことを特徴とする記憶媒体。
【請求項１３】  素材電子文書を第一の表示画面に表示する第一の表示手段と、統合電子文書の構成要素として含まれる素材電子文書を第二の表示画面に表示する第二の表示手段と、前記第一又は第二の表示画面の表示内容に対する変更操作を行うための操作手段とを備えた情報処理装置を制御するためのコンピュータ実行可能な制御プログラムであって、
前記操作手段による変更操作が前記第一の表示画面の表示内容に対する操作であるか、前記第二の表示画面の表示内容に対する操作であるかを判定する判定ステップと、
前記判定ステップでの判定結果と当該変更操作の内容とに応じて、前記操作手段による変更操作が行われた表示画面と異なるもう一方の表示画面の表示内容を変更する変更制御ステップと、をコンピュータに実行させるためのプログラムコードを含むことを特徴とする制御プログラム。
【手続補正３】
【補正対象書類名】明細書
【補正対象項目名】０００７
【補正方法】変更
【補正の内容】
【０００７】
本発明は上記従来の問題点に鑑み、素材電子文書を表示するウインドウの表示が変化したとき、その素材電子文書の情報に依存した他のウインドウの表示情報も自動的に更新されると共に、統合電子文書を表示するウインドウの表示が変化したとき、その統合電子文書の情報に依存した他のウインドウの表示情報も自動的に更新される情報処理装置、その制御方法、記憶媒体、及び制御プログラムを提供することを目的とする。
【手続補正４】
【補正対象書類名】明細書
【補正対象項目名】０００８
【補正方法】変更
【補正の内容】
【０００８】
【課題を解決するための手段】
上記目的を達成するために、本発明の情報処理装置では、素材電子文書を第一の表示画面に表示する第一の表示手段と、統合電子文書の構成要素として含まれる素材電子文書を第二の表示画面に表示する第二の表示手段と、前記第一又は第二の表示画面の表示内容に対する変更操作を行うための操作手段と、前記操作手段による変更操作が前記第一の表示画面の表示内容に対する操作であるか、前記第二の表示画面の表示内容に対する操作であるかを判定する判定手段と、前記判定手段の判定結果と当該変更操作の内容に応じて、前記操作手段による変更操作が行われた表示画面と異なるもう一方の表示画面の表示内容を変更する変更制御手段とを備えたことを特徴とする。
また、本発明の情報処理装置の制御方法は、素材電子文書を第一の表示画面に表示する第一の表示手段と、統合電子文書の構成要素として含まれる素材電子文書を第二の表示画面に表示する第二の表示手段とを備えた情報処理装置の制御方法において、操作手段を用いて、前記第一又は第二の表示画面の表示内容に対する変更操作を行う工程と、前記操作手段による変更操作が前記第一の表示画面の表示内容に対する操作であるか、前記第二の表示画面の表示内容に対する操作であるかを判定する判定工程と、前記判定工程での判定結果と当該変更操作の内容とに応じて、前記操作手段による変更操作が行われた表示画面と異なるもう一方の表示画面の表示内容を変更する変更制御工程とを有することを特徴とする。
また、本発明の記憶媒体は、素材電子文書を第一の表示画面に表示する第一の表示手段と、統合電子文書の構成要素として含まれる素材電子文書を第二の表示画面に表示する第二の表示手段と、前記第一又は第二の表示画面の表示内容に対する変更操作を行うための操作手段とを備えた情報処理装置を制御するためのコンピュータ読み取り可能な制御プログラムを提供する記憶媒体であって、前記制御プログラムは、前記操作手段による変更操作が前記第一の表示画面の表示内容に対する操作であるか、前記第二の表示画面の表示内容に対する操作であるかを判定する判定ステップと、前記判定ステップでの判定結果と当該変更操作の内容とに応じて、前記操作手段による変更操作が行われた表示画面と異なるもう一方の表示画面の表示内容を変更する変更制御ステップとをコンピュータに実行させるためのプログラムコードを含むことを特徴とする。
また、本発明の制御プログラムは、素材電子文書を第一の表示画面に表示する第一の表示手段と、統合電子文書の構成要素として含まれる素材電子文書を第二の表示画面に表示する第二の表示手段と、前記第一又は第二の表示画面の表示内容に対する変更操作を行うための操作手段とを備えた情報処理装置を制御するためのコンピュータ実行可能な制御プログラムであって、前記操作手段による変更操作が前記第一の表示画面の表示内容に対する操作であるか、前記第二の表示画面の表示内容に対する操作であるかを判定する判定ステップと、前記判定ステップでの判定結果と当該変更操作の内容とに応じて、前記操作手段による変更操作が行われた表示画面と異なるもう一方の表示画面の表示内容を変更する変更制御ステップと、をコンピュータに実行させるためのプログラムコードを含むことを特徴とする。
【手続補正５】
【補正対象書類名】明細書
【補正対象項目名】０００９
【補正方法】削除
【補正の内容】
【手続補正６】
【補正対象書類名】明細書
【補正対象項目名】００１０
【補正方法】削除
【補正の内容】
【手続補正７】
【補正対象書類名】明細書
【補正対象項目名】００１１
【補正方法】削除
【補正の内容】